(57)【要約】  【課題】同一構成を有する２つの制御ユニットに対して初期入力データを書込むに際し、両制御ユニットの識別を、車体に併設する既存の部品を利用して行う。  【解決手段】電動式リヤスライドドア７Ｌ，７Ｒを個別に制御する制御ユニット９Ｌ，９Ｒに対して書込む初期入力データの入力を、制御ユニット９Ｌ，９Ｒが車体１ａに擬装した後に行う。データ入力に際しては、車体１ａの後部右側のフューエルリッド８を開いてリッドスイッチ５をＯＮさせ、その信号を右側制御ユニット９Ｒで検知させる。両制御ユニット９Ｌ，９Ｒに車内通信回線１４を介して接続されているデータ書込み処理用コンピュータ１８は、リッドスイッチ５のＯＮにより右側制御ユニット９Ｒと左側制御ユニット９Ｌとを識別し、各制御ユニット９Ｒ，９Ｌに対して専用の初期入力データを送信する。【選択図】図３
2006205778.tif 000002
【特許請求の範囲】
【請求項１】
１台の車両に制御対象が一対配設され、該各制御対象に対して専用の制御ユニットを個別に設け、該各制御ユニットを車体に艤装した後、該各制御ユニットにデータを書込む車両用制御装置のデータ書込み方法であって、
上記車両に併設されている既設の判別手段を動作させて上記一対の制御ユニットを識別し、
識別した上記各制御ユニットに対して上記データを個別に書込む
ことを特徴とする車両用制御装置のデータ書込み方法。
【請求項２】
上記データの書き込みは車内通信回線を介して行う
ことを特徴とする請求項１記載の車両用制御装置のデータ書込み方法。
【請求項３】
上記制御対象が左右一対設けられており、上記判別手段は左右のいずれか一方に設けられているスイッチである
ことを特徴とする請求項１或いは２記載の車両用制御装置のデータ書込み方法。
【請求項４】
上記スイッチを設定回数オン／オフさせることで上記制御ユニットを識別させる
ことを特徴とする請求項３記載の車両用制御装置のデータ書込み方法。
【請求項５】
上記スイッチはフューエルリッドの開放を検知するリッドスイッチである
ことを特徴とする請求項３或いは４記載の車両用制御装置のデータ書込み方法。
【発明の詳細な説明】
【技術分野】
【０００１】
本発明は、同一構成を有する少なくとも一対の制御ユニットを車体に取付けた後、この各制御ユニットに対してデータを書込むようにした車両用制御装置のデータ書込み方法に関する。
【背景技術】
【０００２】
従来から車輌には種々の制御ユニットが搭載されている。又、同一の構成を有する２つの制御ユニットを用いて左右に配設されている同一機能を有する構成要素を個別に制御するものがある。この場合、同一構成の２つの制御ユニットを用いることで生産性が向上し、製品コストの低減を図ることができる。
【０００３】
例えば特許文献１（特開平１１−９１４３６号公報）には、左右に配設されている前照灯の光軸方向を、同一の構成を有する２つの制御ユニットで個別に制御する技術が開示されている。
【０００４】
又、例えばワゴン車やワンボックス車などの車両では、リヤ席側のドアにスライドドアを採用しているものが多く、このスライドドアの開閉操作には大きな力が必要であることから、近年、電動操作で開閉させるようにしたオートスライドドアを採用するものもある。
【０００５】
このようなオートスライドドアとして、専用の制御ユニットを用いて制御するようにしたものもある。この場合、リヤ席側の左右をオートスライドドアとしているものでは、同一構成を有する２つの制御ユニットで、左右のオートスライドドアを個別に制御するものがある。
【０００６】
ところで、同一構成を有する２つの制御ユニットを工場の生産ライン上で車体に艤装した状態では、各制御ユニットに左右の識別が無いため、外部からＣＡＮ（Controller Area Network）通信等の車内通信回線を用いて、各制御ユニットに対し、左側専用の初期入力データと右側専用の初期入力データとを各々書込もうとした場合、各制御ユニットでは入力されるデータを識別することができない。
【０００７】
そのため、従来は、いずれか一方の制御ユニットの端子をアース接続し、或いは特定の端子同士を短絡させる等して、左用制御ユニットと右用制御ユニットとに識別させていた。
【特許文献１】特開平１１−９１４３６号公報
【発明の開示】
【発明が解決しようとする課題】
【０００８】
しかし、２つの制御ユニットを識別するために、一方の制御ユニットに対してアース端子を接続したり、特定の端子間を短絡させる等を行うには、アース用の端子、短絡用の端子を別途必要とし、その着脱が煩雑なばかりか、このような端子は出荷後は使用しないため無駄となり、又、繰り返し使用する場合には、部品の管理が煩雑化する問題がある。
【０００９】
又、このような場合、例えば出荷後に、故障などの原因で何れかの制御ユニットを交換した場合、新たな制御ユニットを車体に艤装した後、初期入力データを車内通信回線を介して外部から書込む場合は、制御ユニットの左右を識別させるための端子を、一方の制御ユニットに接続する必要がある。従って、ディーラなどのサービスステーションでは、左右識別用の端子を常時用意しておく必要があり、管理が煩雑化する問題がある。
【００１０】
本発明は、上記事情に鑑み、同一構成を有する２つの制御ユニットに対して初期入力データを車内通信回線を介して入力するに際し、両制御ユニットを特別な部品を用いることなく、車体に併設する既存の部品を利用して簡単に識別できるようにして、取扱性が良く、出荷後においても簡単に、左右を識別させることのできる車両用制御装置のデータ書込み方法を提供することを目的とする。
【課題を解決するための手段】
【００１１】
上記目的を達成するため本発明は、１台の車両に制御対象が一対配設され、該各制御対象に対して専用の制御ユニットを個別に設け、該各制御ユニットを車体に艤装した後、該各制御ユニットにデータを書込む車両用制御装置のデータ書込み方法であって、上記車両に併設されている既設の判別手段を動作させて上記一対の制御ユニットを識別し、識別した上記各制御ユニットに対して上記データを個別に書込むことを特徴とする。
【発明の効果】
【００１２】
本発明によれば、同一構成を有する２つの制御ユニットに対して初期入力データを車内通信回線を介して入力するに際し、両制御ユニットを特別な部品を用いることなく、車体に併設する既存の部品を利用して簡単に識別できるようにしたので、取扱性が良く、出荷後においても簡単に、左右を識別させることができる等、優れた効果が奏される。
【発明を実施するための最良の形態】
【００１３】
以下、図面に基づいて本発明の一形態を説明する。図１にワンボックスカーのルーフを省略した概略平面図を示す。
【００１４】
車両の一例であるワンボックスカー１のインストルメントパネル２には、車速、エンジン回転数、燃料残量、冷却水温など、運転者が必要とす各種情報を表示するコンビネーションメータ３や、ナビゲーションシステム４などが配設されている。
【００１５】
又、ワンボックスカー１の車体１ａの両側前部にフロントドア６Ｌ，６Ｒが設けられ、後部に制御対象としてのリヤスライドドア７Ｌ，７Ｒが設けられている。リヤスライドドア７Ｌ，７Ｒは電動式スライドドアであり、各リヤスライドドア７Ｌ，７Ｒに対して専用の電動モータが各々連設されている。電動モータを駆動させると、各スライドドア７Ｌ，７Ｒは、車体１ａの後部側面に対して前後方向へ延出された状態で配設されているガイドレール（図示せず）に沿って移動される。
【００１６】
又、車体１ａの後部右側面に、図示しない燃料タンクの注油口が露呈するケース部１ｂが設けられている。このケース部１ｂは、右側リヤスライドドア７Ｒを後方へスライドさせたときの通過位置に配設され、このケース部１ｂの開口部がフューエルリッド８により開閉自在にされている。このフューエルリッド８は、例えば運転席側に設けられているオープナレバー（図示せず）を引くことでロックが外れて開放される。
【００１７】
ケース部１ｂにはフューエルリッド８が開いたときにＯＮする、判別手段としてのリッドスイッチ５が配設されている。運転者がオープナレバーを引いてフューエルリッド８を開放させると、リッドスイッチ５がＯＮする。リッドスイッチ５がＯＮのときはフューエルリッド８が開放状態にあるため、右側リヤスライドドア７Ｒをロックし、リヤスライドドア７Ｒの開放を規制して、フューエルリッド８との干渉を防止する。尚、図２には、フューエルリッド８が開放されて、リッドスイッチ５がＯＮ動作している状態が示されている。
【００１８】
左右リヤスライドドア７Ｌ，７Ｒのロック、アンロック、及び自動開閉動作は、各リヤスライドドア７Ｌ，７Ｒに対応して設けられている専用のスライドドア用制御ユニット９Ｌ，９Ｒで制御される。
【００１９】
図２に示すように、各スライドドア用制御ユニット９Ｌ，９Ｒ、コンビネーションメータ３に設けられているメータ制御ユニット１０、ナビゲーションシステム４に設けられているナビゲーション制御ユニット１１、図示しないリモコンキー及びスライドドアリモコン１５からの信号を受信する受信機１２、及びエンジン等の駆動系を制御するメイン制御ユニット１３などがＣＡＮ等の車内通信回線１７を介してネットワーク化されている。更に、このメイン制御ユニット１３に外部接続用コネクタ１４が接続されている。
【００２０】
リモコンキーには全ドアのロック、アンロックを選択するスイッチが設けられており、又、スライドドアリモコン１５には、左右リヤスライドドア７Ｌ，７Ｒを開閉させるプッシュ式開閉スイッチ１５Ｌ，１５Ｒが設けられている。更に、メータ制御ユニット１０に各リヤスライドドア７Ｌ，７Ｒを運転席側で開閉させるスライドドアスイッチ１６Ｌ，１６Ｒが接続されている。
【００２１】
受信機１２がリモコンキーから出力されるロック信号、或いはアンロック信号を受信すると、ドアロック機構（図示せず）が全ドア６Ｌ，６Ｒ，７Ｌ，７Ｒをロック或いはアンロックさせる。又、受信機１２がスライドドアリモコン１５に設けられているプッシュ式開閉スイッチ１５Ｌ，１５Ｒの一方からのＯＮ信号を受信すると、対応するスライドドア用制御ユニット９Ｌ或いは９Ｒが該当する側のスライドドア７Ｌ或いは７Ｒの開閉状態に応じ、閉状態にあるときは当該スライドドア７Ｌ或いは７Ｒに連設する電動モータを駆動させて開動作させ、一方、スライドドア７Ｌ或いは７Ｒが開状態にあるときは、電動モータを逆転させてスライドドア７Ｌ或いは７Ｒを閉動作させる。
【００２２】
又、メータ制御ユニット１０に接続されているスライドドアスイッチ１６Ｌ或いは１６Ｒを操作すると、対応する側のスライドドア用制御ユニット９Ｌ或いは９Ｒが、スライドドアスイッチ１６Ｌ或いは１６Ｒの状態に応じ、このスライドドアスイッチ１６Ｌ或いは１６Ｒが開側で短絡しているときは、電動モータを駆動させて選択された側のスライドドア７Ｌ或いは７Ｒを開動作させる。一方、スライドドアスイッチ１６Ｌ或いは１６Ｒが閉側で短絡しているときは、電動モータを逆転させて選択された側のスライドドア７Ｌ或いは７Ｒを閉動作させる。
【００２３】
左右のスライドドア用制御ユニット９Ｌ，９Ｒは制御プログラムや初期データなどの初期入力データが書込まれていない初期状態では、同一の構成を有しており、組立ラインにおいては同一の構成を有する２つの制御ユニット（この時点では９Ｌ，９Ｒの区別はなされてない）を、各スライドドア７Ｌ，７Ｒを開閉動作させる各電動モータに対して個別に接続する。尚、この両スライドドア用制御ユニット９Ｌ，９Ｒに設けられている１つの入力端子Ｔ１は、後述するリッドスイッチ５を接続する端子として割り当てられている。
【００２４】
そして、この両制御ユニットに対して、左側リヤスライドドア７Ｌ、右側リヤスライドドア７Ｒの開閉を制御する制御ブロックグラムや初期データなどの初期入力データを書込む。
【００２５】
又、外部接続用コネクタ１４には、パーソナルコンピュータなどからなるデータ書込み処理用コンピュータ１８、或いは故障診断装置１９から延出する入出力コネクタ１８ａ，１９ａが選択的に接続される。
【００２６】
データ書込み処理用コンピュータ１８は、工場の生産ラインにおいて、各スライドドア用制御ユニット９Ｌ，９Ｒに対し、メイン制御ユニット１３、車内通信回線１７を介して初期入力データを送信し、この各スライドドア用制御ユニット９Ｌ，９Ｒに初期入力データを書込むようにしたものである。又、故障診断装置１９は通常の故障診断を行う以外に、ユーザーへ納車後に何れかのスライドドア用制御ユニット９Ｌ或いは９Ｒを新たなものと交換したとき、交換後のスライドドア用制御ユニット９Ｌ或いは９Ｒに対して、初期入力データを書込むものである。
【００２７】
ところで、図１に示すように、フューエルリッド８が開放されている状態で右側リヤスライドドア７Ｒを開くと、この右側リヤスライドドア７Ｒがフューエルリッド８と干渉してしまう。そのため、この右側リヤスライドドア７Ｒの開閉を制御する右側スライドドア用制御ユニット９Ｒの１つの入力端子Ｔ１にはリッドスイッチ５が接続されており、スライドドア用制御ユニット９Ｒは、リッドスイッチ５からのＯＮ信号が入力されると、リヤスライドドア７Ｒを強制的にロックし、フューエルリッド８との干渉を防止する。
【００２８】
尚、フューエルリッド８は、例えば運転席側に設けられているオープナレバー（図示せず）を引くことで、ロックが解除されて開放され、又フューエルリッド８を閉じることでロック状態となる。
【００２９】
又、各リヤスライドドア７Ｌ，７Ｒを開く場合、スライドドアリモコン１５に設けられているプッシュ式開閉スイッチ１５Ｌ或いは１５Ｒ、又は、運転席側に設けられている開閉スイッチ１６Ｌ或いは１６Ｒを開側でＯＮすることで、ＯＮされた側のリヤスライドドア７Ｌ或いは７Ｒに連設する電動モータが駆動し、リヤスライドドア７Ｌ或いは７Ｒが開放動作される。又、スライドドアリモコン１５に設けられているプッシュ式開閉スイッチ１５Ｌ或いは１５Ｒ、又は、運転席側に設けられている開閉スイッチ１６Ｌ或いは１６Ｒを、閉側でＯＮすると、ＯＮされた側のリヤスライドドア７Ｌ或いは７Ｒに連設する電動モータが逆転駆動し、リヤスライドドア７Ｌ或いは７Ｒが閉方向へ動作する。
【００３０】
次に、このような構成による車両用制御装置のデータ書込み方法を組立ライン上でセットアップする手順について、図３の工程図を参照しながら説明する。
【００３１】
生産工程においては、先ず、完成された車体１ａに対して、２つの同一構成を有するスライドドア用制御ユニット（この時点では左側スライドドア用と右側スライドドア用の区別はなされてない）を搭載し、この各スライドドア用制御ユニットを車内通信回線１７に接続する。又、一方のスライドドア用制御ユニットを、左側スライドドア７Ｌを開閉動作させる一方の電動モータに接続し、又、他方のスライドドア用制御ユニットを、右側スライドドア７Ｒを開閉動作させる他方の電動モータに接続する。更に、右側リヤスライドドア７Ｒの開閉を制御するスライドドア用制御ユニットの入力端子Ｔ１に、フューエルリッド８の開閉を検知するリッドスイッチ５を接続する（Ｐ１）。以下においては、便宜的に、リッドスイッチ５が接続されている側のスライドドア用制御ユニットを右側スライドドア用制御ユニット９Ｒ、リッドスイッチ５が接続されていない側のスライドドア用制御ユニットを左側スライドドア用制御ユニット９Ｌと称する。
【００３２】
次いで、車体１ａにバッテリを搭載し、各種制御ユニットを含む要給電部位に電源を供給する（Ｐ２）。
【００３３】
その後、運転席などに配設されているオープナレバーを引いて、車体１ａの後部右側面に配設されているフューエルリッド８を開く（Ｐ３）。すると、リッドスイッチ５がＯＮし、このリッドスイッチ５が接続されている右側スライドドア用制御ユニット９Ｒのリッドスイッチ用として割り当てられた入力端子Ｔ１が接地される。両スライドドア用制御ユニット９Ｌ，９Ｒに設けられているＬＲ識別用出力ポート（図示せず）は、入力端子Ｔ１の電圧レベルを検出し、基準電圧以下、すなわち、接地されているときはＨ信号が出力され、又、基準電圧以上、すなわち開放状態にあるときはＬ信号が出力される。
【００３４】
右側スライドドア用制御ユニット９Ｒの入力端子Ｔ１はリッドスイッチ５を介して接地されているため、電圧レベルが低く、従って、この右側スライドドア用制御ユニット９ＲのＬＲ識別用出力ポート（図示せず）からはＨ信号が出力される。一方、左側スライドドア用制御ユニット９Ｌの入力端子Ｔ１にはリッドスイッチ５が接続されておらず、開放状態にあるため、入力端子Ｔ１の電圧レベルが高く、従って左側スライドドア用制御ユニット９ＬのＬＲ識別用出力ポート（図示せず）からはＬ信号が出力される。
【００３５】
次いで、メイン制御ユニット１３から延出する外部接続用コネクタ１４に、データ書込み処理用コンピュータ１８から延出する入出力コネクタ１８ａを接続し、このデータ書き込み処理用コンピュータ１８から、両スライドドア用制御ユニット９Ｌ，９Ｒに対し、車内通信回線１７を介して、制御プログラムや初期データなどの初期入力データを送信し、データの書込みを開始する（Ｐ４）。
【００３６】
その際、データ書き込み処理用コンピュータ１８にて送信開始ボタンをポイントすると、先ず、書込み対象であるスライドドア用制御ユニット９Ｌ，９Ｒに予め割り当てられているＩＤ（例えばアドレス）を出力し、スライドドア用制御ユニット９Ｌ，９Ｒを検索すると共に、両スライドドア用制御ユニット９Ｌ，９ＲのＬＲ識別用出力ポートの出力値を検出し、いずれか一方からＨ信号が出力されているか否かを調べる。そして、いずれのＬＲ識別用出力ポートからもＨ信号が出力されていないとき、すなわちフューエルリッド８を開けるのを忘れ、リッドスイッチ５がＯＦＦ状態のままのときは、データ書込み処理用コンピュータ１８にエラー表示し、送信を停止する。
【００３７】
一方、何れか一方のＬＲ識別用出力ポートからＨ信号が出力されているときは、当該ＬＲ識別用出力ポートを有するスライドドア用制御ユニットを右側スライドドア用制御ユニット９Ｒと特定し、当該右側スライドドア用制御ユニット９Ｒに、右側識別用のアドレスを自動的に登録する。同様に、ＬＲ識別用出力ポートからＬ信号が出力されている側のスライドドア用制御ユニットに対しては、左側識別用のアドレスを自動的に登録し、当該スライドドア用制御ユニットを左側側スライドドア用制御ユニット９Ｌとして特定する。
【００３８】
次に、両スライドドア用制御ユニット９Ｌ，９Ｒに対し初期入力データを個別に送信する。そして、一方のスライドドア用制御ユニット９Ｌ或いは９Ｒに対して、初期入力データの書き込みが終了した後、それに続いて、他方のスライドドア用制御ユニット９Ｒ或いは９Ｌに対して、初期入力データの書き込みを開始する。尚、その際、コンビネーションメータ３に設けられている、例えば左右ドアランプを利用し、書き込みが行っている側のスライドドア用制御ユニット９Ｌ或いは９Ｒに対応するドアランプを点灯させるようにしても良い。書き込みが行っている側のドアランプを点灯させることで、書き込みの進行状態を視覚的に判断することができる。或いは、ナビゲーションシステム４のモニタを利用し、書き込みの進行状況をバーメータなどで表示すれば、より視覚的な認識度を高めることができる。
【００３９】
更に、一方のスライドドア用制御ユニット９Ｌ或いは９Ｒに対する初期入力データの書き込みが終了し、他方のスライドドア用制御ユニット９Ｒ或いは９Ｌに対して初期入力データの書き込みを開始するに際し、音（ブザー、ホーンなど）を吹鳴させて切り替わり時期を聴覚的に知らせたり、或いは光（ハザードランプ、ルームランプなど）の点灯により切り替わり時期を視覚的に知らせるようにしても良い。
【００４０】
同様に、ナビゲーションシステム４の音声機能を利用して、作業方法のガイドや書き込みの切り替わり時期を音声により案内させるようにしても良い。
【００４１】
その後、他方のスライドドア用制御ユニット９Ｒ或いは９Ｌに対する初期入力データの書き込みが終了した後、データ書込み処理用コンピュータ１８から延出する入出力コネクタ１８ａを外部接続用コネクタ１４から取り外す。更に、フューエルリッド８を閉じ、リッドスイッチ５をＯＦＦする（Ｐ５）。尚、両スライドドア用制御ユニット９Ｌ，９Ｒに対し、左右識別用のアドレスが登録された後は、初期入力データの書き込みが終了する前にフューエルリッド８を閉じて、リッドスイッチ５をＯＦＦさせるようにしても良い。
【００４２】
そして、生産工程が終了した後、検査を行う（Ｐ６）。検査工程では、フューエルリッド８を再び開いて、リッドスイッチ４をＯＮさせ、右側スライドドア用制御ユニット９ＲのＬＲ識別用出力ポートからＨ信号を出力させる。そして、検査において、ＬＲ識別用出力ポートからＨ信号が出力されているスライドドア用制御ユニットを右側スライドドア用制御ユニット９Ｒとして特定し、当該スライドドア用制御ユニットに対し、右側リヤスライドドア用の動作検査を行う。又、同様に、ＬＲ識別用出力ポートからＬ信号が出力されているスライドドア用制御ユニットを左側スライドドア用制御ユニット９Ｌとして特定し、当該スライドドア用制御ユニットに対し、左側リヤスライドドア用の動作検査を行う。
【００４３】
当該検査が所定に完了した後、出荷場へ移動して出荷前工程を実行する。そして、この出荷前工程が所定に終了した後、完成車の最終検査を行う（Ｐ７）。その際、フューエルリッド８を再び開いて、リッドスイッチ４をＯＮさせ、右側スライドドア用制御ユニット９ＲのＬＲ識別用出力ポートからＨ信号を出力させ、上述した生産工程終了時の検査と同様の検査を行う。
【００４４】
ところで、スライドドア用制御ユニット９Ｌ，９Ｒの一方が納車後に故障した場合、新たなスライドドア用制御ユニットと交換する必要がある。このような場合、新たなスライドドア用制御ユニットに対し、予め制御プログラムや初期データなどの初期入力データを書込んだ後、車体１ａに艤装しても良いが、本形態を応用すれば、スライドドア用制御ユニットを新たなものと交換した後、車内通信回線１７を介して、交換したスライドドア用制御ユニットに初期入力データを書込むようにすることが可能である。
【００４５】
すなわち、例えばディーラで所有している故障診断装置１９に初期入力データ書込み用のＲＯＭを装着すると共に、この故障診断装置１９から延出されている入出力コネクタ１９ａを外部接続用コネクタ１４に接続する。又、オープナレバーを引いてフューエルリッド８を開放させ、リッドスイッチ５をＯＮさせる。その後、故障診断装置１９の送信開始ボタン（例えばEnterキー）をＯＮして、上述と同様に書込みを開始する。
【００４６】
その際、既に組み込まれている側のスライドドア用制御ユニットにはすでに、左右を識別するアドレスが登録されているため、ＬＲ識別用出力ポートから出力されている信号レベルを検知して、左右の制御ユニットを識別すると共に、交換したスライドドア用制御ユニットに対して左右識別用のアドレスを登録する。そして、今回アドレスを登録した側の制御ユニットに対して初期入力データを書込む。
【００４７】
このように、本形態では、同一構成を有する２つの制御ユニットに対して初期入力データを車内車内通信回線を介して入力するに際し、両制御ユニットを特別な部品を用いることなく、車体に併設する既存の部品、例えばリッドスイッチ４を利用して簡単に識別できるようにしたので、製品コストがアップすることが無く、しかも取扱性が良い。更に、既存の部品で左右を識別するようにしたので、出荷後においても、当該部品で左右の識別を行うことができ便利である。
【００４８】
尚、本発明は上述した形態に限るものではなく、例えばリッドスイッチ５を複数回ＯＮ／ＯＦＦさせることで、ＬＲ識別用出力ポートからＨ信号を出力させるようにしても良い。更に、リッドスイッチ４がＯＮしたときＬＲ識別用出力ポートからＬ信号が出力するようにし、Ｌ信号が出力されている制御ユニットを右側スライドドア用制御ユニット９Ｒと特定するようにしても良い。
【００４９】
又、上述した形態では、両スライドドア用制御ユニット９Ｌ，９Ｒに対して初期入力データの書き込みを開始するに際して、左右を識別するアドレスを自動的に登録するようにしているが、データの書込み時に、ＬＲ識別用出力ポートの出力値を一々確認しながら、データを書込むようにしても良い。この場合、フューエルリッド８は初期入力データの書込みが終了するまで開放状態とし、リッドスイッチ４からＯＮ信号を継続的に出力させておく必要がある。
【００５０】
又、左右一対の制御ユニットを備えているものであれば、初期入力データの書込み対象とする制御ユニットにより制御する制御対象は、スライドドア用制御ユニット９Ｌ，９Ｒに限らず、他の制御に用いる制御ユニットに適用できることは云うまでもない。又、本形態では左右を識別する手段としてリッドスイッチ４を用いたが、左右を識別することのできるものであれば、これに限定されるものではない。
【図面の簡単な説明】
【００５１】
【図１】ワンボックスカーのルーフを省略した概略平面図
【図２】車内通信回線を用いて各制御ユニットをネットワーク接続した状態の概略構成図
【図３】生産工程及び出荷前工程を示すタイムチャート
【符号の説明】
【００５２】
１…ワンボックスカー、１ａ…車体、１ｂ…ケース部、２…インストルメントパネル、３…コンビネーションメータ、４…ナビゲーションシステム、５…リッドスイッチ、６Ｌ，６Ｒ…フロントドア、７Ｌ，７Ｒ…リヤスライドドア、８…フューエルリッド、９Ｌ，９Ｒ…スライドドア用制御ユニット、１０…メータ制御ユニット、１１…ナビゲーション制御ユニット、１２…キーレス受信機、１３…外部接続用コネクタ、１４…車内通信回線、１５…ワイヤレスリモコン、１５Ｌ，１５Ｒ…プッシュ式開閉スイッチ、１６Ｌ，１６Ｒ…開閉スイッチ、１８…データ書込み処理用コンピュータ、１８ａ，１９ａ…入出力コネクタ、１９…故障診断装置、Ｔ１…入力端子
代理人    弁理士    伊  藤    進
【図１】
2006205778.tif 000003
【図２】
2006205778.tif 000004
【図３】
2006205778.tif 000005